(57)【要約】【課題】  複数のＩＤが検出された場合でも、確実に所持者のカードのＩＤであることを確認できる無線式ＩＤカードによるＩＤ確認システムを提供すること。【解決手段】  ＩＤカード７は、所持者によってオンオフ操作される操作スイッチ９と、自己に固有のＩＤ情報と操作スイッチのオンオフ状態とを送信データとして一緒に無線送信するＩＤタグ８とを有する。端末装置３は、ＩＤカード２から送信された送信データを受信する無線リーダ６及び制御部７を備える。制御部７は、受信した全ての送信データの１つ１つについて、送信データに含まれる操作スイッチのオンオフ状態がオンであるか否かを判定し（Ｃ１２〜Ｃ１７）、オンである場合に、送信データに含まれるＩＤ情報を確定ＩＤ情報と判定する。【選択図】          図５
2006158524.tif 000002
【特許請求の範囲】
【請求項１】
所持者によってオンオフ操作される操作スイッチ及び該操作スイッチに接続され、予め記憶された自己に固有のＩＤ情報と前記操作スイッチのオンオフ状態とを送信データとして一緒に無線送信するＩＤタグを有するＩＤカードと、前記ＩＤカードから無線送信された前記送信データを受信する無線リーダ及び前記無線リーダを介して受信した前記送信データを解析する制御部を備えた端末装置とからなり、
前記無線リーダは、無線受信範囲内に存在する全ての前記ＩＤカードから送信された送信データを受信可能であり、前記制御部は、前記無線リーダを介して受信した前記全ての送信データの１つ１つについて、該送信データに含まれる前記操作スイッチのオンオフ状態がオンであるか否かを判定し、オンである場合に、前記送信データに含まれるＩＤ情報を確定ＩＤ情報と判定するＩＤ判定手段を備えていることを特徴とする無線式ＩＤカードによるＩＤ確認システム。
【請求項２】
前記ＩＤ判定手段は、前記無線リーダを介して受信した前記全ての送信データの１つ１つについて、該送信データに含まれる前記操作スイッチのオンオフ状態がオンであるか否かを判定し、オンであると判定した送信データの件数が１つである場合に限り、前記送信データに含まれるＩＤ情報を確定ＩＤ情報と判定する一方、オンであると判定した送信データの件数が２つ以上の場合は無効として扱うことを特徴とする請求項１に記載の無線式ＩＤカードによるＩＤ確認システム。
【請求項３】
ＩＤ情報と有価価値情報とが対応付けられて記憶されたデータベースを含む管理装置と、前記ＩＤカードと、前記端末装置とで構成され、前記端末装置が前記管理装置との間で相互にデータの授受が可能に接続された払出機であり、前記払出機は予め定められた所定数の遊技媒体の払出しを遊技者の操作によって入力させるための払出スイッチを備え、
前記払出機の制御部は、前記払出スイッチの操作信号の入力があると、前記ＩＤ判定手段による前記確定ＩＤ情報の判定を行って前記確定ＩＤ情報と判定された場合、前記管理装置に前記確定ＩＤ情報及び前記払出スイッチの操作に対応する払出有価価値情報を送信し、前記管理装置が、前記払出機から送信された前記確定ＩＤ情報及び払出有価価値情報を受信し、前記データベースに記憶されている受信した前記確定ＩＤ情報に対応した有価価値情報を参照して、受信した払出有価価値情報が払出条件を満たすか否かを判定し、前記払出条件を満たす場合に前記払出機に払出可の旨を送信し、
前記払出機の制御部が前記払出可の旨を受け、遊技媒体払出部に対して制御信号を出力して遊技媒体の払出しを行わせるようにしたことを特徴とする請求項１又は２に記載の無線式ＩＤカードによるＩＤ確認システムを利用した遊技媒体払出システム。
【請求項４】
前記払出機は、前記確定ＩＤ情報と判定していない状態で、初回の前記払出スイッチの操作信号の入力があると、前記無線リーダを介して受信した前記送信データに含まれる前記操作スイッチのオンオフ状態がオンであるか否かを判定し、前記判定によって前記確定ＩＤ情報と判定した場合、次回以降の前記払出スイッチの操作信号の入力がある毎に、前記無線リーダを介して受信した前記送信データに前記確定ＩＤ情報が含まれているか否かを判定し、前記確定ＩＤ情報が含まれている場合に、前記管理装置に前記確定ＩＤ情報及び前記払出スイッチの操作に対応する払出有価価値情報を送信するものであることを特徴とする請求項３に記載の無線式ＩＤカードによるＩＤ確認システムを利用した遊技媒体払出システム。
【発明の詳細な説明】
【技術分野】
【０００１】
本発明は、予め記憶された自己に固有のＩＤ情報を送信データとして無線送信するＩＤタグを有するＩＤカードと、ＩＤカードから無線送信された送信データを受信する無線リーダ及び無線リーダを介して受信した送信データを解析する制御部を備えた端末装置とからなる無線式ＩＤカードによるＩＤ確認システム及びこのシステムを利用した遊技媒体払出システムに関する。
【背景技術】
【０００２】
顧客が遊技によって獲得した勝ち玉の総玉数データ、又は総玉数を景品交換単価で除した余りの端玉数データを貯留玉（以下、貯玉という）として貯玉カード発行機において貯玉カードに入力して発行した貯玉カードと、上記貯玉カードを挿入可能な貯玉カード挿入口を有して当該貯玉カードに対して読み書き可能なカードリーダーライターを含む貯玉払出しユニットと、投入された貨幣の種別及び真贋を識別して識別信号を送出する貨幣識別機、又は投入されたプリペイドカードに対してデータの読み書きが可能で読み出したデータに基づくデータ信号を送出するプリペイドカード識別機と、貨幣識別機またはプリペイドカード識別機の正偽信号に基づいて作動する貸玉計数機構と、上記各信号に基づいて貸玉計数機構を作動させて貸玉排出装置を介して又は直接所定数のパチンコ玉を払い出す制御装置と、を備え、遊技者が投入する貨幣、プリペイドカードによる貸玉の払出し、及び貯玉カードによる貯玉の払出しが可能なように構成した台間玉貸機が提案されている（例えば、特許文献１参照）。
【０００３】
一方、パチンコ遊技機やスロットマシン等が設置された遊技場において、ＩＤタグ［例えば、ＲＦＩＤ（Ｒａｄｉｏ  Ｆｒｅｑｕｅｎｃｙ  Ｉｄｅｎｔｉｆｉｃａｔｉｏｎ）チップ］から無線送信されたＩＤ（識別情報）を受信する無線リーダを、各遊技機（あるいは遊技台）に対応して設置することが知られている（例えば、特許文献２或いは特許文献３参照）。特許文献２に記載のものでは、遊技制御基板に取り付けられたＩＤタグのＩＤが正規であるかを監視しており、特許文献３に記載のものでは、遊技者が所持する携帯電話機に取り付けられたＩＤタグのＩＤを検出して遊技者を特定している。また、遊技場内に設置された遊技カード発券機に上記無線リーダを設ける一方、従業員の手首に装着するリストバンドに上記ＲＦＩＤチップを内蔵させ、遊技カード発券機にてリストバンドに内蔵されたＲＦＩＤから無線送信されたＩＤを認証に用いる技術事項が提示されている（例えば、特許文献４参照）。
【０００４】
【特許文献１】特開平８−１８２８５２号公報
【特許文献２】特開２０００−２８８２１８号公報（段落００４０、段落００８６−段落００８７、図９及び図１０）
【特許文献３】特開２００３−１０５１９号公報（段落００２８−段落００３２）
【特許文献４】特開２００１−２６２８８５号公報（段落００３６−段落００３８及び段落００５９）
【発明の開示】
【発明が解決しようとする課題】
【０００５】
上述したような貯玉会員管理システムやプリペイドカードシステムを利用することで、好きな遊技台種類や遊技時間帯等、会員毎の遊技動向を測定し、来店客層の動向を知り、勧誘時に適切な会員へダイレクトメールを打つことができる。しかしながら、特に会員システムでは、従来、会員カードは磁気カード、ＩＣカードで構成されており、カード挿入口への挿入が面倒なため、玉払い出しや貯玉操作時しか挿入しない等、会員カードの挿入率が低いことが問題だった。
【０００６】
比較的距離が飛ぶタイプのシール状あるいはカード状に成型されたＲＦＩＤを本人認証カードにすることにより、カードをカード挿入口へ挿入しなくとも、携帯するだけで認証情報が取れるため、上述の問題の改善策として有効である。しかしながら、ＲＦＩＤを所持している人が接近していると、同時に複数のＩＤが読めてしまうため、所持者のＩＤであるかが決定できない場合がある。例えば、貯玉の引き落とし時に、隣りや近くを通りかかった人が所持しているカードのＩＤを認識してしまうという問題が発生する。また、たとえ唯一のＩＤしか認識されていない状態でも、それが所持者の会員ＩＤであるかの確定的な判断は難しいのが現状である。
【０００７】
本発明の目的は、複数のＩＤが検出された場合でも、確実に所持者のカードのＩＤであることを確認できる無線式ＩＤカードによるＩＤ確認システム及びこのシステムを利用した遊技媒体払出システムを提供することにある。
【課題を解決するための手段】
【０００８】
請求項１に係る無線式ＩＤカードによるＩＤ確認システムは、上記課題を解決するために、所持者によってオンオフ操作される操作スイッチ及び該操作スイッチに接続され、予め記憶された自己に固有のＩＤ情報と前記操作スイッチのオンオフ状態とを送信データとして一緒に無線送信するＩＤタグを有するＩＤカードと、前記ＩＤカードから無線送信された前記送信データを受信する無線リーダ及び前記無線リーダを介して受信した前記送信データを解析する制御部を備えた端末装置とからなり、前記無線リーダは、無線受信範囲内に存在する全ての前記ＩＤカードから送信された送信データを受信可能であり、前記制御部は、前記無線リーダを介して受信した前記全ての送信データの１つ１つについて、該送信データに含まれる前記操作スイッチのオンオフ状態がオンであるか否かを判定し、オンである場合に、前記送信データに含まれるＩＤ情報を確定ＩＤ情報と判定するＩＤ判定手段を備えていることを特徴とする。
【０００９】
請求項２に係る無線式ＩＤカードによるＩＤ確認システムは、請求項１に係る無線式ＩＤカードによるＩＤ確認システムにおいて、前記ＩＤ判定手段は、前記無線リーダを介して受信した前記全ての送信データの１つ１つについて、該送信データに含まれる前記操作スイッチのオンオフ状態がオンであるか否かを判定し、オンであると判定した送信データの件数が１つである場合に限り、前記送信データに含まれるＩＤ情報を確定ＩＤ情報と判定する一方、オンであると判定した送信データの件数が２つ以上の場合は無効として扱うことを特徴とするものである。
【００１０】
請求項３に係る遊技媒体払出システムは、請求項１又は２に係る無線式ＩＤカードによるＩＤ確認システムを利用したものであって、ＩＤ情報と有価価値情報とが対応付けられて記憶されたデータベースを含む管理装置と、前記ＩＤカードと、前記端末装置とで構成され、前記端末装置が前記管理装置との間で相互にデータの授受が可能に接続された払出機であり、前記払出機は予め定められた所定数の遊技媒体の払出しを遊技者の操作によって入力させるための払出スイッチを備え、前記払出機の制御部は、前記払出スイッチの操作信号の入力があると、前記ＩＤ判定手段による前記確定ＩＤ情報の判定を行って前記確定ＩＤ情報と判定された場合、前記管理装置に前記確定ＩＤ情報及び前記払出スイッチの操作に対応する払出有価価値情報を送信し、前記管理装置が、前記払出機から送信された前記確定ＩＤ情報及び払出有価価値情報を受信し、前記データベースに記憶されている受信した前記確定ＩＤ情報に対応した有価価値情報を参照して、受信した払出有価価値情報が払出条件を満たすか否かを判定し、前記払出条件を満たす場合に前記払出機に払出可の旨を送信し、前記払出機の制御部が前記払出可の旨を受け、遊技媒体払出部に対して制御信号を出力して遊技媒体の払出しを行わせるようにしたことを特徴とするものである。
【００１１】
請求項４に係る遊技媒体払出システムは、請求項３に係る無線式ＩＤカードによるＩＤ確認システムを利用した遊技媒体払出システムにおいて、前記払出機は、前記確定ＩＤ情報と判定していない状態で、初回の前記払出スイッチの操作信号の入力があると、前記無線リーダを介して受信した前記送信データに含まれる前記操作スイッチのオンオフ状態がオンであるか否かを判定し、前記判定によって前記確定ＩＤ情報と判定した場合、次回以降の前記払出スイッチの操作信号の入力がある毎に、前記無線リーダを介して受信した前記送信データに前記確定ＩＤ情報が含まれているか否かを判定し、前記確定ＩＤ情報が含まれている場合に、前記管理装置に前記確定ＩＤ情報及び前記払出スイッチの操作に対応する払出有価価値情報を送信することを特徴とするものである。
【発明の効果】
【００１２】
請求項１に係る無線式ＩＤカードによるＩＤ確認システムによれば、受信された複数の送信データのうちから、所持者の操作によって操作スイッチのオン状態を含む送信データについて、送信データに含まれるＩＤ情報を確定ＩＤ情報と判定するので、複数のＩＤが検出された場合でも、確実に所持者のカードのＩＤであることが確認できる。
【００１３】
また、請求項２に係る無線式ＩＤカードによるＩＤ確認システムによれば、操作スイッチの状態がオンであると判定した送信データの件数が１つである場合に限り、送信データに含まれるＩＤ情報を確定ＩＤ情報と判定する一方、オンであると判定した送信データの件数が２つ以上の場合は無効として扱うから、所持者のカードのＩＤであることの確実性をより高めることができる。
【００１４】
請求項３に係る遊技媒体払出システムによれば、払出スイッチを操作したものが、ＩＤ判定手段によって判定された確定ＩＤ情報が記憶されたカードの所持者であることが確認でき、同時に、所持者の払出しを行う意思も確認できる。
【００１５】
請求項４に係る遊技媒体払出システムによれば、一旦ＩＤカードの操作スイッチの操作による確定ＩＤを判定してからは、このＩＤが検出されている間、そのＩＤカードの所持者が遊技していると判断され、払出スイッチを押す度にＩＤカードの操作スイッチを押す手間が省けるため、払出スイッチを押すだけの操作でよいから、遊技者（ＩＤカードの所持者）の利便性がよい。
【発明を実施するための最良の形態】
【００１６】
以下、本発明の実施の形態を図面を参照して説明する。図１は、本発明の実施の形態に係る無線式ＩＤカードによるＩＤ確認システムの要部ブロック図である。本発明の無線式ＩＤカードによるＩＤ確認システム１は、無線式のＩＤカード２及びＩＤカード２から無線送信された送信データを受信し、受信した送信データを解析する端末装置３で構成される。ＩＤカード２は、所持者が（例えば、着用している衣服の胸ポケット等に入れて）携帯する形式のものである。ＩＤカード２は、ＲＦＩＤ（Ｒａｄｉｏ  Ｆｒｅｑｕｅｎｃｙ  Ｉｄｅｎｔｉｆｉｃａｔｉｏｎ）で構成されたＩＤタグ４及びＩＤタグ４に接続した操作スイッチ（確認スイッチ）５を備えている。操作スイッチ５は、所持者がカードのスイッチ領域を押すことで、例えば、インピーダンスの変化によってオフ状態からオン状態にするものである。一方、端末装置３は、ＩＤカード２から無線送信された送信データを受信するＲＦＩＤリーダ（無線リーダ）６及びＲＦＩＤリーダ６を介して受信した送信データを解析する制御部７を備えている。端末装置３の制御部７は、伝送路（例えば、ＬＡＮ）８を通じてサーバ（管理装置）９と接続され、サーバ９との間で相互にデータの授受が行われるようになっている。
【００１７】
ＩＤカード２のＩＤタグ４は、電源を発生させるための電波の受信と端末装置３のＲＦＩＤリーダ６に対してデータの送信を行うためのアンテナ１０、データを搬送波に乗せて送信を行うための無線通信部１１、受信した電波を基に回路電源を発生させる電源部１２、通信内容の制御を行う制御部１３、固有のＩＤが格納されている記憶部１４を備えている。ＩＤカード２に設けられた操作スイッチ５は、制御部１３に接続され、操作スイッチ５のオンオフ状態が制御部１３に入力されるように構成されている。端末装置３のＲＦＩＤリーダ６は、ＩＤタグ４との間で無線による電源を発生させるための電波の送信とＩＤタグ４から送信されたデータの受信を行うためのアンテナ１５、搬送波の生成や受信した送信データを取り込むための無線通信部１６を備えている。ＩＤタグ４は予め付与された自己を識別可能とする固有のＩＤ及び操作スイッチ５のオンオフ状態を送信データとして一緒に端末装置３のＲＦＩＤリーダ６へ無線送信する。
【００１８】
端末装置３のＲＦＩＤリーダ６とＩＤカード２のＩＤタグ４との通信手順は次の通りである。ＲＦＩＤリーダ６のアンテナ１５から電源発生のための電波を送信する。ＩＤカード２に設けられたＩＤタグ４のアンテナ１０がＲＦＩＤリーダ６から送られた電波を受信する。アンテナ１０の共振作用により電源部１２にて起電力が発生し、回路が起動する。制御部１３は、記憶部１４からＩＤを読み出し、操作スイッチ５のオンオフ状態を入力し、ＩＤと操作スイッチ５のオンオフ状態とからなる送信データを作成し、作成した送信データを無線通信部１１に出力する。無線通信部１１は搬送波に送信データを乗せてアンテナ１０から端末装置３のＲＦＩＤリーダ６に送信する。ＲＦＩＤリーダ６は、アンテナ１５で送られて来た送信データを受信し、端末装置３の制御部７は無線通信部１６を通じて受信したデータを取り込む。制御部７は、取り込んだ受信したデータ（ＩＤ及びスイッチのオンオフ状態）を制御部７内のメモリ（図示せず）に記憶する。
【００１９】
次に、端末装置３のＲＦＩＤリーダ６に設定された無線受信範囲とＩＤカード２との関係について説明する。一例として、端末装置３が遊技場の島設備に設置された各遊技台の側方に隣接されて設置される玉貸機に適用される場合について説明すると、ＲＦＩＤリーダ６による送信データの受信範囲は玉貸機と対応する遊技台の椅子をカバーできる距離に設定されている。このため、送信データの受信範囲内にＩＤカード２を所持している他の遊技者が存在する可能性があり、従って、ＲＦＩＤリーダ６が受信する送信データは１つに限らず複数となる。なお、ＲＦＩＤリーダ６と送信データの受信範囲内に存在する全てのＩＤカード２のＩＤタグ４とのアクセス方式は、種々考えられるが、例えば、次に述べるアクセス方式を行うものとする。
【００２０】
図２は、端末装置３のＲＦＩＤリーダ６による送信データの受信範囲内に複数ＩＤカードが存在する場合の一例を示す図である。図２に示すように、例えば、送信データの受信範囲内にＩＤカードが３つ存在する場合、ＲＦＩＤリーダ６は、最初に送信要求を受信範囲内に存在する全てのＩＤカードのＩＤタグに対して送信する。これに応じて、受信範囲内に存在する全てのＩＤカードのＩＤタグが自己のデータを同時に送信する。このとき、ＲＦＩＤリーダ６に最初にＩＤカード（仮にカードＡとする）から送信されたデータ「Ａ１」が受信されたものとすると、次に、ＲＦＩＤリーダ６は、送信要求を「Ａ１」以外という条件付きで受信範囲内に存在するＩＤタグに対して送信する。これに応じて、受信範囲内に存在する２つのＩＤカードの各ＩＤタグが自己のデータを送信する。
【００２１】
このとき、ＲＦＩＤリーダ６にＩＤカード（仮にカードＢとする）から送信されたデータ「Ｂ０」が受信されたものとすると、次に、ＲＦＩＤリーダ６は、送信要求を「Ａ１」、「Ｂ０」以外という条件付きで受信範囲内に存在するＩＤタグに対して送信する。これに応じて、受信範囲内に存在する残る１つのＩＤカード（仮にカードＣとする）のＩＤタグが自己のデータを送信する。このとき、ＲＦＩＤリーダ６にデータ「Ｃ０」が受信されたものとすると、次に、ＲＦＩＤリーダ３は、送信要求を「Ａ１」、「Ｂ０」、「Ｃ０」以外という条件付きで受信範囲内に存在する（実際は存在しない）ＩＤタグに対して送信する。このとき、ＲＦＩＤリーダ６にデータが受信されなければ、受信範囲内に存在する全てのＩＤカードのＩＤタグのデータが受信されたものとみなし、データの受信を終了する。
【００２２】
なお、この実施形態の説明では、受信できる送信データの数を最高でＮ個としている。即ち、制御部７のメモリに設定されている送信データの記憶部がＮ個分あって、今回受信された複数の送信データが順番にこれらの記憶部に記憶される。なお、Ｎ個の送信データの記憶部をＭ（１）〜Ｍ（Ｎ）で表すものとする。上述した受信データ「Ａ１」の意味は、ＩＤ「Ａ」のＩＤカードであり操作スイッチ５の状態が「１（オン）」であることを意味する（図２では操作「１」と記している）。また、上述した受信データ「Ｂ０」の意味は、ＩＤ「Ｂ」のＩＤカードであり操作スイッチ５の状態が「０（オフ）」であることを意味する（図２では操作「０」と記している）。同様に、上述した受信データ「Ｃ０」の意味は、ＩＤ「Ｃ」のＩＤカードであり操作スイッチ５の状態が「０（オフ）」であることを意味する（図２では操作「０」と記している）。
【００２３】
以上のように構成された無線式ＩＤカードによるＩＤ確認システム１における端末装置３の制御部７が実行するＩＤ確認に関する処理について説明する。図３は、端末装置３の制御部７が実行するメインルーチン処理を示すフローチャートである。制御部７は、メインルーチン処理を開始すると、まず、送信データの受信処理を行い、ＲＦＩＤリーダ６によるＩＤカード２から送信されてくる送信データ（カードのＩＤ及び操作スイッチ５のオンオフ状態）を受信する（ステップＳ０１）。
【００２４】
図４は、ステップＳ０１の具体的な送信データの受信処理のサブルーチンを示すフローチャートである。制御部７は、送信データの受信処理を開始すると、まず、受信バッファを０クリアし（ステップＣ０１）、データの記憶部Ｍ（１）〜Ｍ（Ｎ）の内容を全て０クリアする（ステップＣ０２）。次いで、今回の受信データの書込場所を指定するためにポインタＰ１に初期値「１」をセットし（ステップＣ０３）、ステップＣ０４に進んで先に説明したアクセス方式により、送信要求を出力し（ステップＣ０４）、受信バッファにＩＤカード２のＩＤタグ４から送信されるデータを受信する（ステップＣ０５）。なお、当該ＲＦＩＤリーダ６の受信範囲内にＩＤカード２が存在しない場合、ステップＣ０５において何も受信されないため、受信バッファに取り込まれる値はなく、受信バッファは０クリアされているままである。
【００２５】
ステップＣ０５でデータの受信処理を行うと、ステップＣ０６に進み、受信バッファの内容をポインタＰ１の値で指定されるデータの記憶部Ｍ（Ｐ１）に記憶する（ステップＣ０７）。次いで、ポインタＰ１の値を＋１し（ステップＣ０８）、アップしたポインタＰ１の値が記憶部の個数Ｎを超えているか否か判定し（ステップＣ０９）、ポインタＰ１の値が記憶部の個数Ｎを超えていなければ、ステップＣ０４に戻り、先に説明したアクセス方式により送信要求を出力し、送信されるデータの受信を行う。制御部７は、ポインタＰ１の値が記憶部の個数Ｎを超えるまで、ステップＣ０４、ステップＣ０５、ステップＣ０６、ステップＣ０７、ステップＣ０８を偽と判定する処理ループを繰り返す。したがって、データの記憶部Ｍ（１）〜Ｍ（Ｎ）の全てに受信によるデータが記憶される。なお、ポインタＰ１の値のときステップＣ０５にてデータが受信されない場合、データの記憶部Ｍ（Ｐ１）には、データなしを表すデータ「０」が記憶される。ポインタＰ１の値が記憶部の個数Ｎを超えると、データの受信が完了となり、ステップＣ０８を真と判定し、今回の送信データの受信処理を終了しメインルーチンに戻る。
【００２６】
ステップＳ０１でＩＤカード２からの送信データの受信を行うと、ステップＳ０２に進み、操作スイッチがオンである送信データの検出数をカウントする検出数カウンタを０クリアし（ステップＳ０２）、今回受信したデータについての受信データチェック処理を行う（ステップＳ０３）。
【００２７】
図５は、受信データチェック処理のサブルーチンを示すフローチャートである。受信データチェック処理を開始すると、今回の受信データの読出場所を指定するためにポインタＰ１に初期値「１」をセットし（ステップＣ１１）、ステップＣ１２に進んでポインタＰ１の値で指定されるデータの記憶部Ｍ（Ｐ１）の受信データを読み出す（ステップＣ１２）。次いで、読み出した受信データの操作スイッチのデータは「１（オン）」であるか否かを判定する（ステップＣ１３）。例えば、受信データ「Ａ１」が記憶されている場合、操作スイッチのデータは「１（オン）」であると判定され、検出数カウンタの値を＋１し（ステップＣ１４）、読み出した受信データに含まれるＩＤをＩＤ記憶レジスタＸ１に記憶し（ステップＣ１５）、ステップＣ１６に進む。一方、例えば、受信データ「Ｂ０」が記憶されている場合、ステップＣ１３において操作スイッチのデータは「１（オン）」でないと判定され、直接ステップＣ１６にジャンプする。
【００２８】
ステップＣ１６に進むと、ポインタＰ１の値を＋１し（ステップＣ１６）、アップしたポインタＰ１の値が記憶部の個数Ｎを超えているか否か判定し（ステップＣ１７）、ポインタＰ１の値が記憶部の個数Ｎを超えていなければ、ステップＣ１２に戻り、更新したポインタＰ１の値で指定される次のデータの記憶部Ｍ（Ｐ１）について上述した処理を行う。制御部７は、ポインタＰ１の値が記憶部の個数Ｎを超えるまで、ステップＣ１２〜ステップＣ１６、ステップＣ１７を偽と判定する処理ループを繰り返す。したがって、データの記憶部Ｍ（１）〜Ｍ（Ｎ）の全てについて受信データの操作スイッチがオンであるか否かがチェックされる。ポインタＰ１の値が記憶部の個数Ｎを超えると、チェック完了となり、受信データチェック処理を抜けてメインルーチンに戻り、ステップＳ０４に進む。
【００２９】
上記の受信データチェック処理を行った結果、受信されたＩＤカード２からのデータが１つもなければ、検出数カウンタの値も「０」のままとなる。また、検出数カウンタの値が「１」であれば、ＩＤカード２の操作スイッチ５がオンとなっているＩＤを１つだけ検出したことになる。したがって、所持者がＩＤカード２の操作スイッチ５を押したものと認められ、ＩＤ記憶レジスタＸ１に記憶されているＩＤは信頼することができる。一方、例えば、検出数カウンタの値が「２」又は「３」のように「１」以外の値であれば、ＩＤカード２の操作スイッチ５がオンとなっているＩＤを複数検出したことになる。したがって、検出しようとしている対象の所持者のＩＤカード２の操作スイッチを押したものか、検出しようとしている対象以外の所持者のＩＤカード２の操作スイッチを押したものかを特定できない。稀にではあるが、同時にＩＤカード２の操作スイッチ５を押した人が２人以上いる（言いかえると、２人以上のカード所持者が存在し、それぞれが所持するＩＤカード２の操作スイッチ５を同時に押した）ケースとなる。
【００３０】
ステップＢ０６では、検出数カウンタの値が「１」であるか否かを判定する（ステップＢ０６）。検出数カウンタの値が「１」であれば、上述した理由でＩＤ記憶レジスタＸ１に記憶されているＩＤは所持者のＩＤカードのＩＤであるとみなし、ＩＤ記憶レジスタＸ１に記憶されているＩＤを確定ＩＤとして記憶し（ステップＢ０７）、ステップＢ０８に進む。一方、ステップＢ０６において、検出数カウンタの値が「１」でないと判断した場合には、ＩＤ記憶レジスタＸ１に記憶されているＩＤが検出しようとしている対象の所持者のＩＤカードに特定できないので、記憶されているＩＤは無効として扱われ、ステップＳ０１に戻り、再度、ＩＤカード２の操作スイッチがオンとなっているＩＤを１つだけ検出するまで、上述した処理ルーチンを繰り返す。
【００３１】
検出したＩＤが確定ＩＤとして確定できた場合、制御部７は、確定ＩＤをサーバ９に送信し（ステップＢ０８）、メインルーチンを終える。なお、サーバ９に送られた確定ＩＤは、サーバ９により、ＩＤ情報と、例えば、金額情報、ポイント数情報、貯玉情報等の有価価値情報とが対応付けされて記憶されたデータベースに、確定ＩＤと有価価値情報とを対応付けて記憶させたり、前記データベースから確定ＩＤに対応する有価価値情報を読み出すのに利用される。
【００３２】
以上に説明したように、無線式ＩＤカードによるＩＤ確認システムによれば、受信された複数のＩＤカード２からの送信データのうちから、所持者の操作によって操作スイッチ５のオン状態を含む送信データについて、送信データに含まれるＩＤ情報を確定ＩＤ情報と判定するので、複数のＩＤが検出された場合でも、確実に所持者のカードのＩＤであることが確認できる。また、操作スイッチの状態がオンであると判定した送信データの件数が１つである場合に限り、送信データに含まれるＩＤ情報を確定ＩＤ情報と判定する一方、オンであると判定した送信データの件数が２つ以上の場合は無効として扱うから、所持者のカードのＩＤであることの確実性をより高めることができる。
【００３３】
以下に、本発明の無線式ＩＤカードによるＩＤ確認システムを利用したシステムについて説明する。図６は、本発明の無線式ＩＤカードによるＩＤ確認システムを利用した遊技媒体払出システムの第１実施形態に係るプリペイドカードによる玉貸システム２１の概略のブロック図である。
【００３４】
遊技場内には、複数の遊技台２２、２２、…が並設されて遊技島設備（図６では代表して１つのみ図示しているが、実際には多数の遊技島設備が遊技場に配置されている）が構成されている。また、遊技島設備には、複数の遊技台２２、２２、…１台毎に対応付けして払出機としての玉貸機（例えば、遊技台２２の側部に隣接して設置される台間玉貸機）２３、２３、…が１つずつ設置されている。一方、遊技場の管理室にはサーバ（管理装置）２４が配設されている。サーバ２４は、伝送路（例えば、ＬＡＮ）２５を通じて各玉貸機２３、２３、…に接続され、相互にデータの授受が行われるようになっている。また、プリペイドカード販売機２６は、遊技場の特定箇所（例えば、上述の遊技島設備の端）に設置されており、遊技を行おうとする遊技者は、所定の金額を投入し、プリペイドカード販売機２６から投入金額と等価値のプリペイドカード２７の発行を受ける。サーバ２４は、伝送路（例えば、上記のＬＡＮ）２５を通じて各プリペイドカード販売機２６に接続され、相互にデータの授受が行われるようになっている。
【００３５】
上記プリペイドカード２７は、本発明における無線式ＩＤカード（ＩＤカード２）の一具体的要素であり、遊技者が玉貸を受ける際に玉貸機２３に対してカードの識別情報や操作確認情報を無線方式で遠隔的に送信するもので、玉貸のための操作を行う操作者たる遊技者が（着用している衣服の胸ポケット等に入れて）携帯する携帯式のものである。プリペイドカード２７は、先に説明したＩＤカード２と構成は同じであり、ＲＦＩＤ（Ｒａｄｉｏ  Ｆｒｅｑｕｅｎｃｙ  Ｉｄｅｎｔｉｆｉｃａｔｉｏｎ）で構成されたＩＤタグ４及びＩＤタグ４に接続した操作スイッチ（確認スイッチ）５を備えている。
【００３６】
サーバ２４（管理装置）は、従来の管理装置と同一であり、詳細な説明は省略する。サーバ４は、ＣＰＵ、ＲＯＭ及びＲＡＭよりなるメモリ、通信インタフェースを備えた制御部、ＣＲＴ或いは液晶パネル等からなる表示画面を有する表示装置、操作入力のためのキーボード装置及びマウスで構成された手動入力部、プリンタ、音声合成によって店内放送を行うための店内放送装置及びデータ記憶用の記憶装置等を含んで構成されている。
【００３７】
図７は、図６のプリペイドカードによる玉貸システム２１の要部のブロック図である。プリペイドカード販売機２６は、投入された貨幣（例えば、１万円札、５千円札、千円札）を識別する貨幣識別装置３０、購入するプリペイドカードの金額を選択指定するための金額スイッチ３１、発行するプリペイドカード（予めカードに固有のＩＤが記憶されている）２７のＩＤを読み取るＲＦＩＤリーダ３２、カードスタッカ（図示せず、発行に供するカードが多数枚収納されている）から１枚ずつカードを取り出してカード取出口（図示せず）まで搬送するカード発行部３３、上記各機構の制御とサーバ２４との間で相互にデータ（金額情報、ＩＤ情報、発行許可等）の授受を行うためのＣＰＵを中心とした制御装置３４を備えている。
【００３８】
貨幣識別装置３０は、図示しない貨幣投入口から投入された現金の真贋を判定し、真正な貨幣であれば金額を判定し、図示しない紙幣搬送部に送ると共に、貨幣の金額データを制御装置３４に送出する。制御装置３４は、送られた金額データを投入金額として記憶する。金額スイッチ３１は、例えば、１万円、５千円、３千円の３種類があり、投入金額を上限として金額スイッチへの入力が受け付けられる。なお、金額スイッチ３１は１種類（例えば、３千円のもの）であってもよい。遊技者は金額スイッチ３１を操作入力することで購入するプリペイドカードの金額を選択指定する。金額スイッチ３１の操作信号は、制御装置３４に入力される。制御装置３４は、金額スイッチ３１の操作信号が投入金額を超えていなければ、カード発行部３３に制御信号を出力してカードスタッカからプリペイドカード２７を１枚取り出し、ＲＦＩＤリーダ３２に送る。
【００３９】
カード発行部３３は、制御装置３４からの制御信号によってカードスタッカから１枚ずつカードを取り出してカード搬送路（図示せず）を経由させて最終的にカード取出口まで搬送する。ＲＦＩＤリーダ３２は、上記カード搬送路の途中に配設され、無線方式でプリペイドカードのＩＤを読み取る。なお、ＲＦＩＤリーダ３２のＩＤ受信範囲はカード搬送路を搬送されるプリペイドカード２７からの送信情報のみを受信するように至近距離に設定されている。こうすることで、カードスタッカに多数ストックされている発行前のプリペイドカードのＩＤを読み取ることがないようにできる。ＲＦＩＤリーダ３２が読み取ったＩＤ情報は、制御装置３４に入力される。制御装置３４は、ＩＤ情報と金額スイッチ３１によって指定された金額情報をＬＡＮ２５を経由してサーバ２４に送信する。
【００４０】
サーバ２４は、ＩＤ情報と金額情報を受信すると、金額情報データベースにＩＤと金額を記憶し、プリペイドカード販売機２６に発行許可の旨の制御信号を送信する。プリペイドカード販売機２６の制御装置３４は、発行許可の制御信号を受けると、カード発行部３３に制御信号を出力する。カード発行部３３は、この制御信号を受けてプリペイドカード２７をカード取出口に送り、プリペイドカード２７が遊技者に対して発行される。
【００４１】
玉貸機２３は、遊技者が所持するプリペイドカード２７のＩＤ情報や操作確認情報を無線方式で遠隔的に受信するためのＲＦＩＤリーダ（無線リーダ）３５、玉貸操作を遊技者に行わせるための払出スイッチとしての玉貸スイッチ３６、遊技者に対するメッセージ等を表示するための表示部３７、玉貸操作に対応する分の遊技媒体の遊技者に対する払い出しを行う遊技媒体払出部３８、上記各機構の制御とサーバ２４との間で相互にデータ（金額情報、ＩＤ情報、玉貸許可又は玉貸不可等）の授受を行うためのＣＰＵを中心とした制御装置３９を備えている。なお、玉貸スイッチ３６は、玉貸機２３に直に設けられているものに限らず、所謂ＣＲ機と呼ばれているように遊技台２２に設けられているものでもよい。また、遊技媒体払出部３８は、玉貸機２３に直に設けられているものに限らず、所謂ＣＲ機と呼ばれているもののように、遊技台２２から払い出す形式のものでもよい。また、プリペイドカードによる玉貸システム２１において、玉貸機２３は先に説明したＩＤ確認システム１における端末装置３に相当するもので、従って、制御装置３９が端末装置３の制御部７に相当する。
【００４２】
プリペイドカード２７による玉貸について概略で説明する。遊技者は、プリペイド販売機２６で購入したプリペイドカード２７を所持して、遊技を行う遊技台２２の椅子に座る。遊技者によって、各遊技台に対応して設置してある玉貸機２３の玉貸スイッチ３６が押されると、玉貸機２３の表示部３７に、「プリペイドカードの確認スイッチを押してください」との旨のメッセージが表示される。また、玉貸スイッチ３６が1回押されるとどれだけの金額分の遊技媒体を貸し出すかの情報は、玉貸機２３の制御装置３９に記憶されている。プリペイドカード２７のＩＤタグ４からＩＤ及び操作スイッチ５のオンオフ状態を表す情報が送信される。遊技者が、プリペイドカード２７の操作スイッチ（確認スイッチ）５を押すと、プリペイドカード２７からＩＤと操作スイッチ５のオン情報が送信される。これらの情報は玉貸機２３のＲＦＩＤリーダ３５によって受信される。玉貸機２３の制御装置３９は、プリペイドカード２７の操作スイッチ５がオンとなっているＩＤを検出したら、このＩＤと押された玉貸スイッチ３６の操作に対応した金額情報をサーバ２４へ送信する。なお、プリペイドカードの操作スイッチがオンとなっているＩＤを複数検出した場合、玉貸機２３の表示部３７に再度、「プリペイドカードの確認スイッチを押してください」との旨のメッセージが表示し、プリペイドカード２７の操作スイッチ５がオンとなっているＩＤを１つだけ検出するまでは、玉貸を行わないようにする。サーバ２４は、受信した金額情報を金額情報データベースの受信したＩＤに該当する金額情報と比較し、受信した金額情報の方が大きければ、「玉貸不可」の旨のデータを送信する。受信した金額情報が金額情報データベースの該当ＩＤの金額情報を超えていない場合は、払出条件を満たしたとして「玉貸可」の旨のデータを送信し、サーバ２４上の金額情報データベースの該当ＩＤの金額情報から、受信した金額分を減算する。玉貸機２３の制御装置３９は、サーバ２４から「玉貸可」の旨のデータを受信すると、サーバ２４が減算した金額分に相当する遊技媒体を払い出す。
【００４３】
以上のように構成された実施形態のプリペイドカード２７による玉貸システム２１におけるプリペイドカード２７の発行とプリペイドカード２７による玉貸に関する各処理について説明する。図８はプリペイドカード販売機２６の制御装置３４が実行するメインルーチン処理を示すフローチャートであり、図９はサーバ２４（以下、単にサーバという）が実行するプリペイドカード２７の発行に関わるプリペイドカード発行処理のサブルーチンを示すフローチャートである。
【００４４】
［プリペイドカードの発行］
プリペイドカード販売機２６の制御装置３４は、メインルーチン処理を開始すると、投入された現金があるか否かを判別する（ステップＡ０１）。投入された現金がなければ、ステップＡ０１を偽と判定してステップＡ０３にジャンプする。ステップＡ０３においては、金額スイッチ３１が操作されたか否かを判定する（ステップＡ０３）。金額スイッチ３１が操作されていなければ、ステップＡ０１に戻り、再度、現金の投入があるか否かを判定する。このように、制御装置３４は、ステップＡ０１を偽と判定、ステップＡ０３を偽と判定する処理ルーチンを繰り返し、図示しない貨幣投入口から現金が投入されるのを待つ。
【００４５】
貨幣投入口から現金が投入されと、投入された現金があると判定し、ステップＡ０２に進む。なお、投入された現金があると判定した場合、投入された現金の真贋を判定し、真正な貨幣でない場合は現金を贋として貨幣投入口に返すようにしてステップＡ０１を繰り返し、真正な貨幣であれる場合にステップＡ０２に進むようにしてもよい。ステップＡ０２に進むと、投入された現金を識別し、投入金額として加算記憶する（ステップＡ０２）。なお、当然のことであるが、投入金額データの初期値は０（円）である。例えば、遊技者が５千円札を投入した場合であれば、現金が５千円札であることが識別されて投入金額として５千円が記憶される。次いで、ステップＡ０３に進み、金額スイッチ３１が操作されたか否かを判定する（ステップＡ０３）。金額スイッチ３１が操作されていなければ、ステップＡ０１に戻り、更なる現金の投入があるか否かを判定する。例えば、遊技者がさらに５千円札を投入した場合であれば、ステップＡ０１を真と判定し、現金が５千円札であることが識別され、現在の投入金額５千円に新たに投入された金額５千円が加算記憶されて投入金額として１万円が記憶される（ステップＡ０２）。
【００４６】
遊技者は購入しようとする金額に対応する金額スイッチ３１を押す。すると、操作された金額スイッチ３１の操作信号が制御装置３４に入力される。制御装置３４は、ステップＡ０３を真と判定し、ステップＡ０４に進む。ステップＡ０４に進むと、制御装置３４は、操作された金額スイッチ３１に対応する対応金額が記憶されている投入金額以下であるか否かを判定する（ステップＡ０４）。操作された金額スイッチの対応金額が記憶されている投入金額より大きい場合は、ステップＡ０４を偽と判定し、ステップＡ０１に戻って、再度、現金の投入があるか否かを判定する。
【００４７】
操作された金額スイッチ３１の対応金額が記憶されている投入金額以下である場合、ステップＡ０４を真と判定してステップＡ０５に進み、カード発行部３３に制御信号を出力してカードスタッカからプリペイドカード２７を１枚取り出し、ＲＦＩＤリーダ３２に送る（ステップＡ０５）。次いで、ＲＦＩＤリーダ３２を介して発行するプリペイドカード２７のＩＤを読み込む（ステップＡ０６）。
【００４８】
次に、読み込んだプリペイドカード２７のＩＤと金額スイッチ３１の対応金額の金額データをサーバに送信し（ステップＡ０７）、サーバから発行許可の旨の制御信号が送信されてくるまで、ステップＡ０８の発行許可の旨の制御信号が受信されるか否かの判別処理を繰り返して待機する。
【００４９】
図９のフローチャートを参照する。サーバは、プリペイドカード発行処理を開始すると、プリペイドカード販売機２６からの送信データがあるか否かを判定する（ステップＤ０１）。サーバは、プリペイドカード販売機２６からの送信データがなければ、ステップＤ０１を偽と判定し、プリペイドカード発行処理を終了する。一方、プリペイドカード販売機２６からの送信データがあると、ステップＤ０２に進み、プリペイドカード販売機２６から送信されたプリペイドカード２７のＩＤと対応金額の金額データを受信する（ステップＤ０２）。次いで、受信したプリペイドカード２７のＩＤと対応金額の金額データを金額情報データベース（図７参照）に書き込む（ステップＤ０３）。このように、金額情報データベースには、プリペイドカード２７が発行される毎に１つのレコードが生成されてＩＤ及び対応金額データが格納される。サーバは、ＩＤ及び金額データを送信したプリペイドカード販売機２６に対し、「発行許可」の旨の制御信号を送信し（ステップＤ０４）、プリペイドカード発行処理を終了する。
【００５０】
プリペイドカード販売機２６の制御装置３４は、サーバから発行許可の旨の制御信号が送信されてくると、ステップＡ０８を真と判定し、カード発行部３３に制御信号を出力し、カード発行部３３によりプリペイドカード２７をカード取出口に送り、プリペイドカード２７を遊技者に対して発行させ（ステップＡ０９）、記憶されている投入金額をクリアし（ステップＡ１０）、メインルーチン処理を終了する。なお、フローチャートには図示していないが、投入金額に対する対応金額に差額がある場合には、差額を釣銭として払い出す。
【００５１】
［プリペイドカードによる玉貸］
図１０は玉貸機２３の制御装置３９が実行するメインルーチン処理を示すフローチャートであり、図１１はサーバが実行するプリペイドカード２７に関わるプリペイドカード玉貸処理のサブルーチンを示すフローチャートである。遊技者は、プリペイド販売機２６で購入したプリペイドカード２７を所持して、遊技を行う遊技台２２の椅子に座る。玉貸機２３の制御装置３９は、メインルーチン処理を開始すると、まず、玉貸スイッチ３６の操作があるか否かを判別する（ステップＢ０１）。遊技者による玉貸スイッチ３６の操作がなければステップＢ０１を偽と判別する処理を繰り返す。遊技者が玉貸スイッチ３６を操作すると、玉貸スイッチ３６の操作信号が制御装置３９に入力され、制御装置３９はステップＢ０１を真と判定し、ステップＢ０２に進む。
【００５２】
ステップＢ０２に進むと、制御装置３９は、表示部３７に、例えば、「プリペイドカードの確認スイッチを押してください」のような操作スイッチをオンする旨のメッセージを表示し（ステップＢ０２）、ステップＢ０３に進み、ＲＦＩＤリーダ３５によるプリペイドカード２７からの送信データ（カードのＩＤ及び操作スイッチ５のオンオフ状態）の受信を行う（ステップＢ０３）。なお、ステップＢ０３の受信処理は、先に説明した送信データの受信処理と同じである（図３参照）。したがって、説明を省く。
【００５３】
ステップＢ０３でプリペイドカード７からの送信データの受信を行うと、ステップＢ０４に進み、操作スイッチがオンである送信データの検出数をカウントする検出数カウンタを０クリアし（ステップＢ０４）、ステップＢ０３にて今回受信したデータについての受信データチェック処理を行う（ステップＢ０５）。なお、ステップＢ０５の受信データチェック処理は、先に説明した受信データチェック処理と同じである（図４参照）。したがって、説明を省く。
【００５４】
上記の受信データチェック処理を行った結果、受信されたプリペイドカード２７からのデータが１つもなければ、検出数カウンタの値も「０」のままとなる。また、検出数カウンタの値が「１」であれば、プリペイドカード２７の操作スイッチ５がオンとなっているＩＤを１つだけ検出したことになる。したがって、今回の玉貸スイッチ３６の操作は、玉貸スイッチ３６を操作した遊技者本人（カードの所持者）が所持しているプリペイドカードの操作スイッチを押したものと認められ、ＩＤ記憶レジスタＸ１に記憶されているＩＤは信頼することができる。一方、例えば、検出数カウンタの値が「１」以外の値であれば、プリペイドカード２７の操作スイッチ５がオンとなっているＩＤを複数検出したことになる。したがって、今回の玉貸スイッチ３６の操作は、玉貸スイッチ３６を操作した遊技者本人が所持しているプリペイドカード２７の操作スイッチを押したものか、他の遊技者が所持しているプリペイドカード２７の操作スイッチを押したものかを特定できない。
【００５５】
ステップＢ０６では、検出数カウンタの値が「１」であるか否かを判定する（ステップＢ０６）。検出数カウンタの値が「１」であれば、上述した理由でＩＤ記憶レジスタＸ１に記憶されているＩＤは玉貸スイッチ３６を操作した遊技者が所持しているプリペイドカードであるとみなし、ＩＤ記憶レジスタＸ１に記憶されているＩＤを確定ＩＤとして記憶し（ステップＢ０７）、ステップＢ０８に進む。一方、ステップＢ０６において、検出数カウンタの値が「１」でないと判断した場合には、ＩＤ記憶レジスタＸ１に記憶されているＩＤが玉貸スイッチ３６を操作した遊技者が所持しているプリペイドカードに特定できないので、ＩＤ記憶レジスタＸ１に記憶されているＩＤを無効として扱い、ステップＢ０２に戻り、再度、玉貸機の表示部１７に「プリペイドカードの確認スイッチを押してください」との旨のメッセージを表示し、プリペイドカード２７の操作スイッチがオンとなっているＩＤを１つだけ検出するまで、上述した処理ルーチンを繰り返す。
【００５６】
検出したＩＤが確定ＩＤとして確定できた場合、制御装置３９は、確定ＩＤと玉貸スイッチ３６の操作に対応する金額（以下、対応金額という）をサーバに送信し（ステップＢ０８）、サーバから返信があるか否かを判断し（ステップＢ０９）、サーバから返信があるまで繰り返しステップＢ０９を偽と判定してサーバからの返信を待つ。なお、玉貸スイッチ３６が1回押されるとどれだけの金額分の遊技媒体を貸し出すかの払出有価価値情報（対応金額）は、玉貸機の制御装置３９のメモリに記憶されている。
【００５７】
図１１のフローチャートを参照し、サーバは、プリペイドカード玉貸処理を開始すると、玉貸機３からの送信データがあるか否かを判定する（ステップＤ１０）。サーバは、玉貸機３からの送信データがなければ、ステップＤ１０を偽と判定し、プリペイドカード玉貸処理を終了する。一方、玉貸機３からの送信データがあると、ステップＤ１１に進み、玉貸機３から送信されたプリペイドカード２７のＩＤ（確定ＩＤ）と対応金額データを受信する（ステップＤ１１）。次いで、受信した確定ＩＤに対応する金額情報データベースのレコードを特定し（ステップＤ１２）、特定したレコードに記憶されている金額データをレジスタＹ１に読み出し（ステップＤ１３）、受信した対応金額データがレジスタＹ１に読み出した金額データ以下であるか否かを判定し（ステップＤ１４）、受信した金額データの方がレジスタＹ１に読み出した金額データよりも大きければ、「玉貸不可」の旨のデータを玉貸機２３に送信し（ステップＤ１５）、プリペイドカード玉貸処理を終了する。
【００５８】
一方、受信した金額データがレジスタＹ１に読み出した金額データ以下であれば、レジスタＹ１に読み出した金額情報から対応金額分を減算し（ステップＳ１６）、減算した金額データをレコードに書き込み（ステップＳ１７）、レコードを金額情報データベースに格納し（ステップＳ１８）、「玉貸可」の旨のデータを玉貸機２３に送信し（ステップＳ１９）、プリペイドカード玉貸処理を終了する。
【００５９】
玉貸機２３の制御装置３９は、サーバから返信があると、ステップＢ０９を真と判定し、サーバからの返信は「玉貸可」であるか否かを判定する（ステップＢ１０）。サーバからの返信が「玉貸可」でない場合、即ち、サーバからの返信が「玉貸不可」である場合、玉貸は行わず、メインルーチン処理を終了する。サーバからの返信が「玉貸可」である場合、遊技媒体払出部３８に対して制御信号を出力することによって対応金額分に相当する遊技媒体を払い出し行わせ（ステップＢ１１）、今回のメインルーチン処理を終了する。
【００６０】
上述した実施形態では、玉貸スイッチ３６が１回操作される毎にプリペイドカード２７の操作スイッチ５を遊技者に押すことを要求するようにしているが、一度プリペイドカードの操作スイッチによる確認が済めばよいわけである。以下に説明する遊技媒体払出システムの第１実施形態の変形実施例では、遊技者の利便性を考慮し、一旦、プリペイドカード２７の操作スイッチ５によるＩＤを確定した後は、このＩＤが検出されている間、その遊技者が遊技していると判断し、再度、プリペイドカード２７の操作スイッチ５を押さなくとも、玉貸スイッチ３６を押せば、遊技媒体を貸し出すようにしたものである。
【００６１】
図１２は、第１実施形態の変形実施例に係る玉貸機のメインルーチン処理を示すフローチャートである。ステップＢ０１〜ステップＢ０７の処理ルーチンは、図１０に示す第１実施形態の玉貸機のメインルーチン処理と全く同じであるので、説明を省略する。ステップＢ０８に進み、確定ＩＤと玉貸スイッチ３６の操作に対応する金額（以下、対応金額という）をサーバに送信し（ステップＢ０８）、サーバから返信があるまで待機する（ステップＢ０９）。
【００６２】
サーバから返信があると、ステップＢ０９を真と判定し、サーバからの返信は「玉貸可」であるか否かを判定する（ステップＢ１０）。サーバからの返信が「玉貸可」でない場合、即ち、サーバからの返信が「玉貸不可」である場合、玉貸は行わず、メインルーチン処理を終了する。
【００６３】
一方、サーバからの返信が「玉貸可」である場合、遊技媒体払出部３８に対して制御信号を出力することによって対応金額分に相当する遊技媒体の払出しを行わせ（ステップＢ１１）、ステップＢ１２に進み、再度、ＲＦＩＤリーダ３５によるプリペイドカード７からの送信データ（カードのＩＤ及び操作スイッチ９のオンオフ状態）の受信を行う（ステップＢ１２）。遊技者がこの遊技台を続けて遊技している場合には、前述したように、記憶部Ｍ（１）〜Ｍ（Ｎ）のいずれかに確定ＩＤとして記憶したＩＤと同じＩＤが記憶されているはずである。
【００６４】
ステップＢ１３に進み、制御装置３９は、記憶部Ｍ（１）〜Ｍ（Ｎ）に記憶されている送信データについて確定ＩＤが検出されるか否かを順次判定する（ステップＢ１３〜ステップＢ１５）。記憶部Ｍ（１）〜Ｍ（Ｎ）のいずれかに確定ＩＤが検出された場合は、遊技者が継続して遊技しているとみなし、ステップＢ１６に進んで玉貸スイッチ３６の操作があるか否かを判別する（ステップＢ１６）。遊技者による玉貸スイッチ３６の操作がなければステップＢ１６を偽と判別し、ステップＢ１２に戻り、ステップＢ１３〜ステップＢ１５の処理によって確定ＩＤが検出されるか否かを判定する。以上の処理ルーチンを繰り返す。遊技者が玉貸スイッチ３６を操作すると、ステップＢ１６を真と判定し、ステップＢ０８に戻り、確定ＩＤと玉貸スイッチ３６の操作に対応する対応金額をサーバに送信し（ステップＢ０８）、サーバから返信があるまで待機する（ステップＢ０９）。一方、記憶部Ｍ（１）〜Ｍ（Ｎ）のいずれにも確定ＩＤが検出されなかった場合は、遊技者は遊技台の椅子を離れたものとみなし、ステップＢ１７に進み、記憶していた確定ＩＤをクリアし（ステップＢ１７）、今回のメインルーチン処理を終了する。
【００６５】
以上に説明したように、変形実施例では、一旦プリペイドカード２７の操作スイッチ５によるＩＤを確定した後は、このＩＤが検出されている間、その遊技者が遊技していると判断し、玉貸スイッチ３６を押すだけの操作で、遊技媒体を連続して貸し出すことができるようにしたものである。したがって、玉貸スイッチ３６を押す度にプリペイドカード２７の操作スイッチ５を押す手間が省けるため、遊技者の利便性がよい。
【００６６】
次に、本発明の無線式ＩＤカードによるＩＤ確認システムを利用した遊技媒体払出システムの第２実施形態について説明する。図１３は、本発明の無線式ＩＤカードによるＩＤ確認システムを利用した遊技媒体払出システムの第２実施形態に係る会員カードによる貯玉払出システム４０の概略のブロック図である。第１実施形態と同様に遊技場内には、複数の遊技台２２、２２、…が並設されて遊技島設備が構成されている。また、遊技島設備には、複数の遊技台２２、２２、…１台毎に対応付けして貯玉払出機４１、４１、…が１つずつ設置されている。一方、遊技場の管理室にはサーバ（管理装置）２４が配設されている。サーバ２４は、伝送路（例えば、ＬＡＮ）２５を通じて各貯玉払出機４１、４１、…に接続され、相互にデータの授受が行われるようになっている。また、計数機４２は、遊技場の特定箇所（例えば、上述の遊技島設備の端）に設置されており、獲得した遊技媒体の計数を行おうとする遊技者（会員）は、後述の会員カード５５を挿入し、計数機４２に獲得した遊技媒体を投入して計数を行う。サーバ２４は、伝送路（例えば、上記のＬＡＮ）２５を通じて各計数機に接続され、相互にデータの授受が行われるようになっている。
【００６７】
上記会員カード５５は、本発明における無線式ＩＤカード（ＩＤカード２）の一具体的要素であって、構造自体は先に説明したＩＤカード２と同じである。会員カード５５は、ＩＤタグ４及び操作スイッチ５を備え、遊技者（会員）が貯玉の払出しを受ける際に貯玉払出機に対して会員カード５５の識別情報や操作確認情報を無線方式で遠隔的に送信するもので、貯玉の払出しのための操作を行う操作者たる遊技者（会員）が（着用している衣服の胸ポケット等に入れて）携帯する形式のものである。会員カード５５は、後述の貯玉払出機のＲＦＩＤリーダとの間で無線による情報の送信を行うもので、ＩＤタグ４が予め付与された自己を識別可能とする固有のＩＤ及び操作スイッチ５のオンオフ状態を送信データとして一緒にＲＦＩＤリーダへ無線送信する。サーバ２４（管理装置）のハードウェア構成は、従来の管理装置と同一であり、詳細な説明は省略する。
【００６８】
図１４は、会員カード５５による貯玉払出システム４０の要部のブロック図である。計数機４２は、投入された遊技媒体を計数するための計数部４３、会員カード挿入口（図示せず）から挿入された会員カード５５の会員ＩＤを読み取るＲＦＩＤリーダ４４、計数終了した遊技媒体数を記録したレシートの発行のため或いは会員カード５５による貯玉の預け入れ行うために操作するためのボタン式の発券スイッチ４５、遊技媒体の計数値やメッセージ等を表示するための表示部４６、遊技媒体数を記録したレシート４９の発行を行うためのレシート発行部４７、上記各機構の制御とサーバ２４との間で相互にデータ（遊技媒体数情報、ＩＤ情報、貯玉加算終了等）の授受を行うためのＣＰＵを中心とした制御装置４８を備えている。
【００６９】
計数部４３は、図示しない遊技媒体投入ホッパに投入された遊技媒体の計数を行い、計数データを制御装置４８に送出する。制御装置４８は、送られた計数データを遊技媒体数として記憶する。ＲＦＩＤリーダ４４は、図示していない会員カード挿入口に挿入された会員カード５５の会員ＩＤを無線方式で読み取る。なお、ＲＦＩＤリーダ４４のＩＤ受信範囲は会員カード挿入口に挿入されている会員カード５５からの送信情報のみを受信するように至近距離に設定されている。こうすることで、計数機４２の付近に別の会員がいた場合、その会員の会員カードのＩＤを読み取ることがないようにできる。また、計数を行う会員に計数機４２にて会員カード５５の挿入を行わせている理由は、実際に遊技媒体を計数させていない別の会員が会員カードの操作スイッチを押すことにより、計数した遊技媒体を貯玉として不正に獲得されるのを防ぐためでもある。ＲＦＩＤリーダ４４が読み取ったＩＤ情報は、制御装置４８に入力される。
【００７０】
発券スイッチ４５は、会員でない一般の遊技客の場合であれば、計数終了した遊技媒体数を記録したレシート４９をレシート発行部４７から発行するために操作する。また、会員の場合であれば、会員カード５５による貯玉の預け入れ行うために操作する。発券スイッチ４５の操作信号は制御装置４８に入力される。制御装置４８は、発券スイッチ４５の操作信号があると、会員カード５５の会員ＩＤが存在する否かを判定し、会員ＩＤがなければ、レシート発行部４７に制御信号を出力してレシート４９の発行を行わせ、遊技媒体数をクリアする。また、会員ＩＤがある場合は、ＩＤ情報と遊技媒体数情報をＬＡＮ２５を経由してサーバ２４に送信する。
【００７１】
サーバ２４は、ＩＤ情報と遊技媒体数情報を受信すると、貯玉データベースの会員ＩＤに対応する貯玉数に受信した貯玉数を加算記憶し、計数機４２に貯玉加算終了の旨の制御信号を送信する。計数機４２の制御装置４８は、貯玉加算終了の制御信号を受けると、遊技媒体数をクリアする。
【００７２】
貯玉払出機４１は、遊技者が所持する会員カードのＩＤ情報や操作確認情報を無線方式で遠隔的に受信するためのＲＦＩＤリーダ５０、貯玉の払出操作を遊技者たる会員に行わせるための例えば、ボタン式の払出スイッチ５１、遊技者に対するメッセージ等を表示するための表示部５２、貯玉の払出操作に対応する分の遊技媒体の遊技者に対する払い出しを行う遊技媒体払出部５３、上記各機構の制御とサーバ２４との間で相互にデータ（払出数情報、ＩＤ情報、払出許可又は払出不可等）の授受を行うためのＣＰＵを中心とした制御装置５４を備えている。ＲＦＩＤリーダ５０は、第１実施形態で説明した玉貸機２３に配備されたＲＦＩＤリーダ３５と同様のハードウェア構成のものであり、制御装置５４に接続されている。また、遊技媒体払出部５３は、貯玉払出機４１に直に設けられているものに限らず、所謂ＣＲ機と呼ばれているもののように、遊技台２２から払い出す形式のものでもよい。
【００７３】
以上のように構成された第２実施形態の会員カード５５による貯玉払出システム４０における計数機４２からの貯玉の預け入れと会員カード５５による貯玉の払出しに関する各処理について説明する。前提として、まず、遊技場の会員になろうとする遊技者は、個人情報（氏名、住所、生年月日等）を遊技場に登録し、会員カード５５を発行してもらう。個人情報は、会員ＩＤに対応してサーバ２４に記憶され、遊技場に会員登録される。また、会員カード５５のＩＤタグ４にはサーバ２４に記憶された会員ＩＤと同一の会員ＩＤが記憶されている。さらに、貯玉データベース（図１４参照）に会員ＩＤに対応付けして貯玉数が書き込まれる。このように、サーバ２４の貯玉データベースには、会員登録がなされる毎に１つのレコードが生成されて会員ＩＤ及び貯玉数が格納される。なお、この実施形態では、会員登録時の貯玉数を「０個」としている。
【００７４】
図１５は計数機４２の制御装置４８が実行するメインルーチン処理を示すフローチャートである。また、図１６はサーバ２４（以下、単にサーバという）が実行する貯玉加算処理のサブルーチンを示すフローチャートである。
【００７５】
［遊技者が獲得した遊技媒体の預け入れ］
計数機４２の制御装置４８は、メインルーチン処理を開始すると、表示部４６に、例えば、「会員の方は、会員カードを挿入して下さい」のような会員カードを挿入させる旨のメッセージを表示する（ステップＡ２０）。遊技者が会員である場合、図示しない会員カード挿入口に会員カード５５を挿入する。遊技者が会員でない一般客の場合は会員カードの挿入は行われない。次に、制御装置４８は、投入された遊技媒体があるか否かを判断する（ステップＡ２１）。遊技者が遊技で獲得した遊技媒体を図示しない遊技媒体投入ホッパに投入すると、計数部４３が遊技媒体の計数を行い、計数データが制御装置４８に入力される。
【００７６】
制御装置４８は、投入された遊技媒体がない場合、ステップＡ２１を偽と判断する処理を繰り返すことで遊技媒体が投入されるまで待機する。遊技媒体が投入されると、ステップＡ０２を真と判定し、計数部４３から出力される計数データを読み込むと共に表示部４６に表示し（ステップＡ２２）、ステップＡ２３に進み、発券スイッチ４５が操作されたか否かを判定する（ステップＡ２３）。発券スイッチ４５が操作されていなければ、ステップＡ２２に戻り、計数データの読み込みと表示を続ける。したがって、表示部４６に遊技媒体のカウント値が刻々と表示される。遊技者は、表示部４６のカウント値を見て計数が完了したことを確認して発券スイッチ４５を押す。すると、操作された発券スイッチ４５の操作信号が制御装置４８に入力される。
【００７７】
制御装置４８は、ステップＡ２３を真と判定してステップＡ２４に進み、計数データを遊技媒体数として記憶する（ステップＡ２４）。次に、ＲＦＩＤリーダ４４を介して会員カード５５の会員ＩＤを読み込む（ステップＡ２５）。したがって、会員カード５５が挿入されていればＩＤタグ４に記憶されている会員ＩＤが制御装置４８に読み込まれる。また、会員カード５５が挿入されていなければ会員ＩＤなしを示すデータ（例えば、「０」）が制御装置４８に読み込まれる。
【００７８】
次いで、制御装置４８は、会員ＩＤは検出されたか否かを判断する（ステップＡ２６）。読み込んだ会員ＩＤを示すデータが「０」である場合、「会員カードの挿入なし」と判断し、すなわち、会員でない一般の遊技客であると判定し、レシート発行部４７に制御信号及び計数データを出力することでレシート４９を発行し（ステップＡ２７）、記憶されている遊技媒体数をクリアし（ステップＡ３０）、メインルーチン処理を終了する。
【００７９】
一方、会員ＩＤが検出された場合には、ステップＡ２６を真と判定してステップＡ２８に進み、読み込んだ会員カード５５の会員ＩＤと記憶されている遊技媒体数をサーバに送信し（ステップＡ２８）、サーバから貯玉加算終了の旨の制御信号が送信されてくるまで、ステップＡ２９の貯玉加算終了の旨の制御信号が受信されるか否かの判別処理を繰り返して待機する。そして、サーバから貯玉加算終了の旨の制御信号が送信されてくると、ステップＡ２９を真と判定し、記憶されている遊技媒体数をクリアし（ステップＡ３０）、メインルーチン処理を終了する。
【００８０】
図１６のフローチャートを参照する。サーバは、貯玉加算処理を開始すると、計数機４２からの送信データがあるか否かを判定する（ステップＤ２１）。サーバは、計数機４２からの送信データがなければ、ステップＤ２１を偽と判定し、貯玉加算処理を終了する。一方、計数機４２からの送信データがあると、ステップＤ２２に進み、計数機４２から送信された会員カード５５の会員ＩＤと遊技媒体数を受信する（ステップＤ２２）。次いで、受信した会員カード５５の会員ＩＤに対応する貯玉データベースのレコードを特定し（ステップＤ２３）、特定したレコードに記憶されている貯玉数をレジスタＹ１に読み出し（ステップＤ２４）、レジスタＹ１に読み出した貯玉数に受信した遊技媒体数を加算し（ステップＤ２５）、加算結果（レジスタＹ１の内容）を新たな貯玉数としてレコードに書き込み（ステップＤ２６）、レコードを貯玉データベースに格納し（ステップＤ２７）、「貯玉加算終了」の旨のデータを計数機４２に送信し（ステップＤ２８）、貯玉加算処理を終了する。
【００８１】
［会員カードによる貯玉払出］
図１７乃至図１８は貯玉払出機４１の制御装置５４が実行するメインルーチン処理を示すフローチャートであり、図１９はサーバが実行する貯玉減算処理のサブルーチンを示すフローチャートである。遊技者は、会員カード５５を所持して、遊技を行う遊技台２２の椅子に座る。貯玉払出機４１の制御装置５４は、メインルーチン処理を開始すると、まず、払出スイッチ５１の操作があるか否かを判別する（ステップＢ２０）。遊技者による払出スイッチ５１の操作がなければステップＢ２０を偽と判別する処理を繰り返す。遊技者が払出スイッチ５１を操作すると、払出スイッチ５１の操作信号が制御装置５４に入力され、制御装置５４はステップＢ２０を真と判定し、ステップＢ２１に進む。
【００８２】
ステップＢ２１に進むと、制御装置５４は、表示部５２に、例えば、「会員カードの確認スイッチを押してください」のような操作スイッチをオンする旨のメッセージを表示し（ステップＢ２１）、ステップＢ２２に進み、ＲＦＩＤリーダ５０による会員カード５５からの送信データ（カードの会員ＩＤ及び操作スイッチ５のオンオフ状態）の受信を行う（ステップＢ２２）。ステップＢ２２の処理は、先に説明した第１実施形態の玉貸機２３で行われるステップＢ０３の処理と同様であるのでここでの説明を省略する（図３参照）。
【００８３】
ステップＢ２２で会員カード２９からの送信データの受信を行うと、ステップＢ２３に進み、操作スイッチがオンである送信データの検出数をカウントする検出数カウンタを０クリアし（ステップＢ２３）、ステップＢ２４にて今回受信したデータについての受信データチェック処理を行う（ステップＢ２４）。ステップＢ２４の処理は、先に説明した第１実施形態の玉貸機２３で行われるステップＢ０５の受信データチェック処理と同様であるのでここでの説明を省略する（図４参照）。
【００８４】
上記の受信データチェック処理を行った結果、受信された会員カード５５からのデータが１つもなければ、検出数カウンタの値も「０」のままとなる。また、検出数カウンタの値が「１」であれば、会員カード５５の操作スイッチ５がオンとなっている会員ＩＤを１つだけ検出したことになる。したがって、今回の払出スイッチ５１の操作は、払出スイッチ５１を操作した遊技者本人が所持している会員カード５５の操作スイッチを押したものと認められ、ＩＤ記憶レジスタＸ１に記憶されている会員ＩＤは信頼することができる。一方、例えば、検出数カウンタの値が「２」又は「３」のように「１」以外の値であれば、会員カード５５の操作スイッチ５がオンとなっているＩＤを複数検出したことになる。したがって、今回の払出スイッチ５１の操作は、払出スイッチ５１を操作した遊技者本人が所持している会員カード５５の操作スイッチを押したものか、他の遊技者が所持している会員カード５５の操作スイッチを押したものかを特定できない。
【００８５】
ステップＢ２４の受信データチェック処理を終えるとステップＢ２５に進む。ステップＢ２５では、検出数カウンタの値が「１」であるか否かを判定する（ステップＢ２５）。検出数カウンタの値が「１」であれば、上述した理由でＩＤ記憶レジスタＸ１に記憶されている会員ＩＤは払出スイッチ５１を操作した遊技者が所持している会員カード５５であるとみなし、ＩＤ記憶レジスタＸ１に記憶されている会員ＩＤを確定ＩＤとして記憶し（ステップＢ２６）、ステップＢ２７に進む。
【００８６】
一方、ステップＢ２５において、検出数カウンタの値が「１」でないと判断した場合には、ＩＤ記憶レジスタＸ１に記憶されている会員ＩＤが払出スイッチ５１を操作した遊技者が所持している会員カード５５に特定できないので、ステップＢ２１に戻り、再度、表示部５２に「会員カードの確認スイッチを押してください」との旨のメッセージを表示し、会員カード５５の操作スイッチがオンとなっている会員ＩＤを１つだけ検出するまで、上述した処理ルーチンを繰り返す。
【００８７】
検出した会員ＩＤが確定ＩＤとして確定できた場合、制御装置５４は、確定ＩＤと払出スイッチ５１の操作に対応する払出数（以下、対応払出数という）をサーバに送信し（ステップＢ２７）、サーバから返信があるか否かを判断し（ステップＢ２８）、サーバから返信があるまで繰り返しステップＢ２８を偽と判定してサーバからの返信を待つ。なお、払出スイッチ５１が1回押されるとどれだけの数の遊技媒体を払い出すかの情報（対応払出数）は、貯玉払出機の制御装置５４のメモリに記憶されている。
【００８８】
図１９のフローチャートを参照し、サーバは、貯玉減算処理を開始すると、貯玉払出機４１からの送信データがあるか否かを判定する（ステップＤ３１）。サーバは、貯玉払出機４１からの送信データがなければ、ステップＤ３１を偽と判定し、貯玉減算処理を終了する。一方、貯玉払出機４１からの送信データがあると、ステップＤ３２に進み、貯玉払出機４１から送信された会員カード５５の会員ＩＤ（確定ＩＤ）と対応払出数を受信する（ステップＤ３２）。サーバは、受信した対応払出数に手数料分（手数料を含めた変換率）を乗じた値を引落数として算出する（ステップＤ３３）。手数料は、予めサーバ４に記憶されているもので、例えば、対応払出数が５００個で、手数料１０％の場合であれば、５００個×１．１＝５５０個が引落数として算出される。次に、受信した確定ＩＤに対応する貯玉データベースのレコードを特定し（ステップＤ３４）、特定したレコードに記憶されている貯玉数をレジスタＹ１に読み出し（ステップＤ３５）、算出した引落数がレジスタＹ１に読み出した貯玉数以下であるか否かを判定し（ステップＤ３６）、算出した引落数の方が貯玉数より大きければ、「払出不可」の旨のデータを貯玉払出機４１に送信し（ステップＤ３７）、貯玉減算処理を終了する。
【００８９】
一方、算出した引落数がレジスタＹ１に読み出した貯玉数以下であれば、レジスタＹ１に読み出した貯玉数から引落数を減算し（ステップＤ３８）、減算結果（レジスタＹ１の内容）をレコードに書き込み（ステップＤ３９）、レコードを貯玉データベースに格納し（ステップＤ４０）、「払出可」の旨のデータを貯玉払出機４１に送信し（ステップＤ４１）、貯玉減算処理を終了する。
【００９０】
貯玉払出機４１の制御装置５４は、サーバから返信があると、ステップＢ２８を真と判定し、サーバからの返信は「払出可」であるか否かを判定する（ステップＢ２９）。サーバからの返信が「払出可」でない場合、即ち、サーバからの返信が「払出不可」である場合、貯玉の払出しは行わず、メインルーチン処理を終了する。
【００９１】
一方、サーバからの返信が「払出可」である場合、遊技媒体払出部５３に対して制御信号を出力することによって対応払出数に相当する遊技媒体の払出しを行わせ（ステップＢ３０）、ステップＢ３１に進み、再度、ＲＦＩＤリーダ５０による会員カード５５からの送信データ（カードの会員ＩＤ及び操作スイッチ９のオンオフ状態）の受信を行う（ステップＢ３１）。遊技者がこの遊技台を続けて遊技している場合には、前述したように、記憶部Ｍ（１）〜Ｍ（Ｎ）のいずれかに確定ＩＤとして記憶した会員ＩＤと同じ会員ＩＤが記憶されているはずである。
【００９２】
ステップＢ３２に進み、制御装置５４は、記憶部Ｍ（１）〜Ｍ（Ｎ）に記憶されている送信データについて確定ＩＤが検出されるか否かを順次判定する（ステップＢ３２〜ステップＢ３４）。記憶部Ｍ（１）〜Ｍ（Ｎ）のいずれかに確定ＩＤが検出された場合は、遊技者が継続して遊技しているとみなし、ステップＢ３５に進んで払出スイッチ５１の操作があるか否かを判別する（ステップＢ３５）。遊技者による払出スイッチ５１の操作がなければステップＢ３５を偽と判別し、ステップＢ３１に戻り、ステップＢ３２〜ステップＢ３４の処理によって確定ＩＤが検出されるか否かを判定する。以上の処理ルーチンを繰り返す。遊技者が払出スイッチ５１を操作すると、ステップＢ３５を真と判定し、ステップＢ２７に戻り、確定ＩＤと払出スイッチ５１の操作に対応する対応払出数をサーバに送信し（ステップＢ２７）、サーバから返信があるまで待機する（ステップＢ２８）。一方、記憶部Ｍ（１）〜Ｍ（Ｎ）のいずれにも確定ＩＤが検出されなかった場合は、遊技者は遊技台の椅子を離れたものとみなし、ステップＢ１７に進み、記憶していた確定ＩＤをクリアし（ステップＢ３６）、今回のメインルーチン処理を終了する。
【００９３】
以上に説明したように、この実施形態では、遊技者の利便性を考慮し、一旦会員カード５５の操作スイッチ５による会員ＩＤを確定した後は、この会員ＩＤが検出されている間、その遊技者が遊技していると判断し、払出スイッチ５１を押すだけの操作で、遊技媒体を連続して払出すことができる。したがって、払出スイッチ５１を押す度に会員カード５５の操作スイッチ５を押す手間が省けるため、遊技者の利便性がよい。
【図面の簡単な説明】
【００９４】
【図１】本発明の実施の形態に係る無線式ＩＤカードによるＩＤ確認システムの要部ブロック図である。
【図２】端末装置のＲＦＩＤリーダ（無線リーダ）による送信データの受信範囲内に複数ＩＤカードが存在する場合の一例を示す図である。
【図３】端末装置の制御部が実行するメインルーチン処理を示すフローチャートである。
【図４】端末装置の制御部が実行する送信データの受信処理のサブルーチンを示すフローチャートである。
【図５】端末装置の制御部が実行する受信データチェック処理のサブルーチンを示すフローチャートである。
【図６】本発明の無線式ＩＤカードによるＩＤ確認システムを利用した遊技媒体払出システムの第１実施形態に係るプリペイドカードによる玉貸システムの概略のブロック図である。
【図７】プリペイドカードによる玉貸システムの要部のブロック図
【図８】第１実施形態においてプリペイドカード販売機の制御装置が実行するメインルーチン処理を示すフローチャートである。
【図９】第１実施形態においてサーバが実行するプリペイドカードの発行に関わるプリペイドカード発行処理のサブルーチンを示すフローチャートである。
【図１０】第１実施形態において玉貸機の制御装置が実行するメインルーチン処理を示すフローチャートである。
【図１１】第１実施形態においてサーバが実行するプリペイドカードに関わるプリペイドカード玉貸処理のサブルーチンを示すフローチャートである。
【図１２】第１実施形態の変形実施例に係る玉貸機のメインルーチン処理を示すフローチャートである。
【図１３】本発明の無線式ＩＤカードによるＩＤ確認システムを利用した遊技媒体払出システムの第２実施形態に係る会員カードによる貯玉払出システムの概略のブロック図である。
【図１４】会員カードによる貯玉払出システムの要部のブロック図である。
【図１５】第２実施形態において計数機の制御装置が実行するメインルーチン処理を示すフローチャートである。
【図１６】第２実施形態においてサーバが実行する貯玉加算処理のサブルーチンを示すフローチャートである。
【図１７】第２実施形態において貯玉払出機の制御装置が実行するメインルーチン処理を示すフローチャートである。
【図１８】図１７のフローチャートのつづきである。
【図１９】第２実施形態においてサーバが実行する貯玉減算処理のサブルーチンを示すフローチャートである。
【符号の説明】
【００９５】
１  無線式ＩＤカードによるＩＤ確認システム
２  ＩＤカード（無線式ＩＤカード）
３  端末装置
４  ＩＤタグ
５  操作スイッチ
６  ＲＦＩＤリーダ（無線リーダ）
７  制御部
８  伝送路
９  サーバ（管理装置）
１０  アンテナ
１１  無線通信部
１２  電源部
１３  制御部
１４  記憶部
１５  アンテナ
１６  無線通信部
２１  玉貸システム
２２  遊技台
２３  玉貸機
２４  サーバ（管理装置）
２５  伝送路
２６  プリペイドカード販売機
２７  プリペイドカード（ＩＤカード）
３０  貨幣識別装置
３１  金額スイッチ
３２  ＲＦＩＤリーダ
３３  カード発行部
３４  制御装置
３５  ＲＦＩＤリーダ
３６  玉貸スイッチ
３７  表示部
３８  遊技媒体払出部
３９  制御装置
４０  貯玉払出システム
４１  貯玉払出機
４２  計数機
４３  計数部
４４  ＲＦＩＤリーダ
４５  発券スイッチ
４６  表示部
４７  レシート発行部
４８  制御装置
４９  レシート
５０  ＲＦＩＤリーダ
５１  払出スイッチ
５２  表示部
５３  遊技媒体払出部
５４  制御装置
５５  会員カード（ＩＤカード）
【図１】
2006158524.tif 000003
【図２】
2006158524.tif 000004
【図３】
2006158524.tif 000005
【図４】
2006158524.tif 000006
【図５】
2006158524.tif 000007
【図６】
2006158524.tif 000008
【図７】
2006158524.tif 000009
【図８】
2006158524.tif 000010
【図９】
2006158524.tif 000011
【図１０】
2006158524.tif 000012
【図１１】
2006158524.tif 000013
【図１２】
2006158524.tif 000014
【図１３】
2006158524.tif 000015
【図１４】
2006158524.tif 000016
【図１５】
2006158524.tif 000017
【図１６】
2006158524.tif 000018
【図１７】
2006158524.tif 000019
【図１８】
2006158524.tif 000020
【図１９】
2006158524.tif 000021